(57)【要約】【課題】ムーブ対象として選択した録画済みタイトルと同一又は類似する録画済みタイトルを録画済みタイトルデータから抽出し、ムーブのための録画済みタイトル選択とムーブ設定を容易にすることができるムーブ選択装置及びムーブ選択方法を提供することを目的とする。【解決手段】ムーブ対象として選択した録画済みタイトルと同一又は類似する録画済みタイトルについて過去にムーブされていないかを検索する。過去にムーブされた同一又・類似タイトルが存在すれば、その情報も取り込んで、選択された録画済み番組のタイトル及び類似する番組のタイトルも含めて視覚的に認識容易なムーブ方法を操作者に提示する。【選択図】図４
2008211436.tif 000002
【特許請求の範囲】
【請求項１】
ムーブ対象となる録画済み番組のタイトルの入力を操作者に促す対象タイトル情報設定部と、
前記対象タイトル情報設定部で入力された対象タイトルと同一又は類似のタイトルを持つ録画済み番組の有無を検索する類似タイトル抽出部と、
１または２以上のムーブパターンを有するムーブパターンデータを出力するムーブパターン生成部を含むムーブ選択装置であって、
前記ムーブパターン生成部は、前記対象タイトル情報設定部で入力された対象タイトルと過去に同一又は類似のタイトルを持つムーブ済みタイトルがあれば抽出し、前記類似タイトル抽出部により抽出された録画済みタイトルとあわせて前記ムーブパターンデータを生成することを特徴とするムーブ選択装置。
【請求項２】
請求項１に記載のムーブ選択装置において、前記ムーブ済みタイトルがムーブについての属性を有するとき、前記ムーブパターンデータに前記ムーブ済みタイトルの属性を引き継ぐことを特徴とするムーブ選択装置。
【請求項３】
請求項１または２に記載のムーブ選択装置において、前記ムーブパターン生成部は、更に、前記１または２以上のムーブパターンを選択可能に表示することを特徴とするムーブ選択装置。  
【発明の詳細な説明】
【技術分野】
【０００１】
本発明は、放送番組などを一度ＨＤＤ（ハードディスク記録装置）などの内蔵記憶装置に録画保存し、その後録画済みの番組を光ディスクメディア（ＤＶＤ−ＲＡＭなど）などのリムーバブルメディアへムーブする機能を有する録画装置において、ムーブする録画済み番組を選択する方法に関する。
【背景技術】
【０００２】
ムーブとは、録画装置内の内蔵する記憶媒体に録画した番組を消去し、あわせて運搬可能なリムーバブルディスク等に移動させる操作のことをいう。
【０００３】
ＤＶＤ／ＨＤＤレコーダなどのＴＶ番組録画装置には、ＥＰＧ（電子番組表）により番組予約を設定する機能が搭載されている。これにより、予約録画設定を行うことでＴＶ番組録画を自動的に行うことが出来る。録画番組を記録する記憶装置の容量が増えるに従い、ユーザが録画する番組は増える傾向にある。この録画済みの番組を録画装置から取り出すにはムーブを行う必要がある。
【０００４】
特開２００２−１６５１８６号公報（特許文献１）記載の発明では、一つの番組について録画記録可能時間より自動的に算出される記録レートがどの程度のレベルになるのかを視覚的に分かりやすく表示し、使用者の条件設定判断を行いやすくしている。
【特許文献１】特開２００２−１６５１８６号公報
【発明の開示】
【発明が解決しようとする課題】
【０００５】
しかしながら、数多く記録された録画済み番組の中からムーブ対象とする複数の番組を探し、選ぶのは、操作回数が多くなり面倒である。特許文献１においても一つの番組の複製に際して、条件は開示するものの複数の番組の複製について何ら開示は存在しない。
【０００６】
また、リムーバブルメディアが持つデータ容量は録画済み番組を保存している録画装置内蔵の記憶装置のデータ容量に比べると小さい。このため、録画済み番組のコンテンツデータの圧縮処理を行う必要があり、映像情報データを減らしながらムーブする必要が生じるのが一般的である。しかし、複数の録画済み番組の総録画時間が長くなりすぎると、非常に多くの映像情報データを減らすことが必要となる。このため映像そのものの画質が結果的に劣化しすぎるきらいがある。
【０００７】
現状の録画装置における光ディスクメディアへのムーブ操作方法においては、総録画時間を考慮しながら妥当な録画済みタイトルを選ぶという、簡素で使い勝手の良いムーブ選択方法を提供していない。
【０００８】
本発明の目的は、多数の録画済み番組の中からムーブの対象となる番組を選んだ時に、録画済みタイトルデータからムーブの対象となる番組のタイトルと同一または類似するタイトルを抽出してムーブ対象タイトルとする。そして、ムーブ対象タイトルと映像画質指定値を組み合わせた複数のムーブパターンを用意することで、ムーブタイトル選びの簡単化とムーブ開始までの操作を容易にする方法を提供することにある。
【０００９】
本発明の前記並びにその他の目的と新規な特徴は、本明細書の記述及び添付図面から明らかになるであろう。
【課題を解決するための手段】
【００１０】
本願において開示される発明のうち、代表的なものの概要を簡単に説明すれば、次の通りである。
【００１１】
本発明に関わるムーブ選択装置は、ムーブ対象となる録画済み番組のタイトルの入力を操作者に促す対象タイトル情報設定部と、対象タイトル情報設定部で入力された対象タイトルと同一又は類似のタイトルを持つ録画済み番組の有無を検索する類似タイトル抽出部と、１または２以上のムーブパターンを有するムーブパターンデータを出力するムーブパターン生成部を含み、ムーブパターン生成部は対象タイトル情報設定部で入力された対象タイトルと過去に同一又は類似のタイトルを持つムーブ済みタイトルがあれば抽出し、類似タイトル抽出部により抽出された録画済みタイトルとあわせてムーブパターンデータを生成することを特徴とする。
【００１２】
またこのムーブ選択装置は、ムーブ済みタイトルがムーブについての属性を有するとき、ムーブパターンデータにこのムーブ済みタイトルの属性を引き継ぐこととすることもできる。
【００１３】
このムーブパターン生成部は、更に、生成した１または２以上のムーブパターンを選択可能に表示することもできる。  
【発明の効果】
【００１４】
本願において開示される発明のうち、代表的なものによって得られる効果を簡単に説明すれば以下の通りである。
【００１５】
本発明によれば、ムーブ対象の録画済み番組のタイトルを一つ選ぶと、録画済みタイトルデータ及び過去にムーブを行ったタイトル（ムーブ済みデータ）から、同一または類似する録画済みタイトルを抽出するので、ムーブ対象タイトルの選択操作が容易になる。
【００１６】
また過去のムーブ済みタイトル情報もムーブ選択装置内で記録するためムーブ済みタイトルの管理が容易となる。
【００１７】
さらには、複数のムーブパターンが用意され操作者に選択可能に表示されるためムーブの開始が容易になる。
【発明を実施するための最良の形態】
【００１８】
以下、本発明の実施の形態を図面に基づいて詳細に説明する。なお、本明細書では「番組」とは番組情報（以下タイトルデータ）とその番組内容（以下コンテンツ）をあわせたものをさす。
【００１９】
（第１の実施の形態）
（本発明の基本構成）
図１は本発明にかかわるムーブ選択装置のハードウェア的な構成を表すブロック図であり、図２は、本発明のムーブ選択装置のソフトウェアの基本的な構成を表す概念図である。
【００２０】
本発明にかかわるムーブ選択装置はＴＶチューナ回路１０、ＭＰＥＧエンコーダ１１、ＭＰＥＧデコーダ１２、表示制御部１３、ＣＰＵ１４、入力部１５、記憶装置（ＨＤＤ）１６、リムーバブルディスクドライブ１７、操作盤１８より構成される。また、このムーブ選択装置周辺の接続機器として、モニタ１９、リモコン２０が存在する。
【００２１】
ＴＶチューナ回路１０は図示しないテレビ局の親局や中継局からのテレビ放送を受信する部品、あるいはその部品を含む回路や基板である。本発明は地上波デジタル放送か、衛星波を経由したものか、などの放送方式については特定しない。目的に応じて組み合わせたとしても本明細書中ではＴＶチューナ回路１０として一括して説明する。なお、伝送方式にかかわらず本明細書では番組のコンテンツはＭＰＥＧデータ形式であるとして説明する。
【００２２】
ＭＰＥＧエンコーダ１１はＭＰＥＧフォーマットの動画データを符号化する部品、あるいはその部品を含む回路や基板である。
【００２３】
ＭＰＥＧデコーダ１２はＴＶチューナ回路１０で受信した番組のコンテンツ、または記憶装置１６内に保存された番組のコンテンツ、リムーバブルディスクドライブ１７に挿入した記録媒体から読み出した番組のコンテンツを復号し表示可能に復号化する部品、あるいはその部品を含む回路や基板である。
【００２４】
表示制御部１３はＭＰＥＧデコーダ１２によって表示可能な情報となったコンテンツを実際に出力する部品、あるいはその部品を含む回路や基板である。
【００２５】
ＣＰＵ（Ｃｅｎｔｒａｌ  Ｐｒｏｃｅｓｓｉｎｇ  Ｕｎｉｔ）１４はムーブ選択装置全体の制御を行う部品である。ムーブ選択装置自体の回路規模が小さく、比較的限定された機能しか有さないものであれば、ＤＳＰ（Ｄｉｇｉｔａｌ  Ｓｉｇｎａｌ  Ｐｒｏｃｅｓｓｏｒ）を用いても良い。
【００２６】
入力部１５はリモコン２０からの操作処理を受け付ける赤外線受光器もしくはそれに類する回路、及びその周辺回路である。本図ではムーブ選択装置に設けられた操作盤１８とは便宜上分けて記載しているが、一体に構成してもなんら問題は無い。
【００２７】
記憶装置１６は受信した動画データなどを保存するための記憶手段である。一般的にはＨＤＤ（ハード・ディスク・ドライブ）が用いられるが、フラッシュメモリなどの不揮発性メモリを代用しても良い。この記憶装置１６中に録画番組のタイトルデータやコンテンツデータなどが保存される。
【００２８】
リムーバブルディスクドライブ１７は、記憶装置１６に記憶した動画データを、リムーバブルメディアとしてのＤＶＤ（デジタルビデオディスク）などに書き込む部品、もしくはその周辺回路である。
【００２９】
操作盤１８はムーブ選択装置に対して直接操作者が操作を入力する箇所である。
【００３０】
周辺の接続機器としてのモニタ１９は表示制御部１３から出力され、表示可能となった静止画・動画データを実際に表示する部品である。
【００３１】
リモコン２０はムーブ選択装置から離れた箇所で、操作者がムーブ選択装置を動かすためのデバイスである。ムーブ選択装置とリモコン２０間の通信手段としては、赤外線通信が一般的であるが、Ｂｌｕｅｔｏｏｔｈ（ＴＭ）や無線ＬＡＮであっても本発明の実施には影響しない。  
【００３２】
次にこのムーブ選択装置のソフトウェアの構成及び動作の基本概念について図２に基づき説明する。以下説明するソフトウェア・モジュールは図１のＣＰＵ１４でソフトウェア的に構成され、具体的なデータ処理は適宜ＭＰＥＧエンコーダ１１等のハードウェアの各構成要素で行うものと以下の説明では想定している。
【００３３】
本発明のソフトウェア的な構成は対象タイトル情報設定部１、類似タイトル抽出部２、ムーブパターン生成部３からなる。また、これらが取り扱うデータ対象として録画済みタイトルデータ４及びムーブパターンデータ５、ムーブ済みデータ６が存在する。これらは、記憶装置１６中に保存されるものと以下では想定している。
【００３４】
ここで、録画済みタイトルデータ４とは現在ムーブ選択装置内に保存されている録画済み番組の一覧を表すデータである。これは、常にムーブ選択装置が一つ有する情報である。
【００３５】
ムーブパターンデータ５とは、対象タイトル情報設定部１に選択タイトルが入力されてからムーブが完了するまでの間に一時的に作成される情報であり、画像のムーブ品質に応じてどのようなムーブ形式が考えられるかを示すデータである。
【００３６】
ムーブ済みデータ６は、ムーブが行われたタイトルごとに作成されるデータである。過去のムーブ履歴を保管するものであり、同一類似番組ごとに１つのムーブ済みデータ６が用意される。
【００３７】
次にソフトウェア的な動作について説明する。
【００３８】
まず対象タイトル情報設定部１に対して操作者がムーブの候補となる番組の特定を行う。この際の入力方法はタイトルの直接入力や、録画済みタイトルデータ４のデータをＧＵＩ（Ｇｒａｐｈｉｃ  Ｕｓｅｒ  Ｉｎｔｅｒｆａｃｅ）で選択するなどが考えられるが、本発明では、その手段は問わない。その入力が完了すると対象タイトル情報設定部１は録画済みタイトルデータ４の中からムーブの対象となる入力されたタイトルの情報を類似タイトル抽出部２に送る。
【００３９】
類似タイトル抽出部２は録画済みタイトルデータ４の中から、対象タイトル情報設定部１より送付された番組のタイトルと同一又は類似するタイトルのデータを抽出する。なお、以下「類似タイトル」「類似するタイトル」には「同一のタイトル」も含めるものとする。
【００４０】
前述の通り、録画済みタイトルデータ４は記憶装置１６に格納されている。録画済みタイトルデータ４には各録画済みタイトルの録画済みタイトル情報が含まれる。この録画済みタイトル情報には、録画時にＥＰＧ（Ｅｌｅｃｔｒｉｃ  Ｐｒｏｇｒａｍ  Ｇｕｉｄｅ）データにより取得可能な放送番組に関する情報（たとえば放送局ＩＤや放送開始時間、シリーズＩＤなど）や、録画時の画質、録画時間が保持されている。これらの情報はモニタ１９上で録画済みタイトル情報一覧として閲覧可能にすることもできる。抽出後、類似タイトル抽出部２は、この抽出結果をムーブパターン作成部３に送信する。
【００４１】
ムーブパターン作成部３は類似タイトル抽出部２によって抽出されたタイトルをリムーバブルディスクドライブ１７にセットされたリムーバブルメディアにムーブする際の録画済みタイトルと映像画質指定値の組み合わせを複数上げ、ムーブパターンデータ５として生成する。この際、過去の同一類似番組のムーブの履歴であるムーブ済みデータ６を参酌する。
【００４２】
操作者はムーブパターンデータ５の情報の中から特定のものを選ぶことで、類似するタイトルを一括してムーブできる。
【００４３】
ムーブ後には、作成したムーブパターンデータ５などを参照してムーブ済みデータ６を更新し、一連のムーブ処理は終了する。
【００４４】
なお、ムーブ済みデータ６を参酌せずにムーブパターンデータ５を作成することも可能である。加えて、ムーブ後にムーブパターンデータ５を破棄するか否かは設計的事項である。
【００４５】
（具体的な動作）
以下、具体的な動作について図を用いて説明する。
【００４６】
図３は録画済みタイトルデータ４の具体的な一例を表す構成図である。
【００４７】
この録画済みタイトルデータ４は当該番組の属性を表すデータ項目として、放送局ＩＤ１０１、タイトル名１０２、日時１０３、開始時刻１０４、録画時間１０５、画質１０６、ジャンル１０７、シリーズＩＤ１０８を含む。これらは録画タイトルごとに一組用意される。個別タイトルデータ１００１、１００２、１００３、１００４等は上記各データ項目を含む、一つの録画した番組の各属性を表す。
【００４８】
放送局ＩＤ１０１はチャンネル番号に相当する。
【００４９】
タイトル名１０２は番組に付けられた名前である。継続して放送される同一構成番組であっても、タイトル名が同一とは限らず、取得するＥＰＧデータの作成元によって決定される。タイトル名１０２はテキストデータであることを想定して説明しているが、実施の形態によっては特にこれにこだわるものではない。
【００５０】
日時１０３は番組が放送された年月日を示す。
【００５１】
開始時刻１０４は番組の放送が開始された時刻を示す。
【００５２】
録画時間１０５は実際に録画された時間を示す。
【００５３】
画質１０６は録画した映像データの品質を示すものであり、図中の「ＴＳ」は放送時の映像データそのままの品質（受信した映像品質）でムーブ選択装置内に保存されていることを示す。
【００５４】
ジャンル１０７はＥＰＧデータにより示された番組内容が属するジャンルに関するデータであり、ＥＰＧデータ作成元によって決定される。
【００５５】
番組の内容が複数回に分けて放送される場合に、それらの番組に同一のユニークなＩＤ（シリーズＩＤ）が割り振られて設定されているものである。この番組に割り当てられたシリーズＩＤの値を保持する箇所がシリーズＩＤ１０８である。シリーズＩＤ１０８が設定される例としては、たとえば、連続ドラマなどが考えられる。
【００５６】
なお、番組によってはシリーズＩＤ１０８の設定が無い場合もある。この際には、この項目は記載しない、もしくは無意のデータを入力しても良い（図３の項番１００３の該当箇所参照）。
【００５７】
これらの情報は番組が録画されるごとに一組追加され記憶装置１６に更新される。また、操作者の削除処理などによって、記憶装置１６からタイトル自体が消去された場合には削除更新される。
【００５８】
図４は録画済みタイトルデータ４を用いて、対象タイトル情報設定部１、類似タイトル抽出部２及びムーブパターン生成部３がムーブパターンデータ５を作成する際の動作の一例を示すフローチャートである。なお、ここでは対象タイトル情報設定部１は、ＧＵＩを用いて記憶している番組のタイトルを選択するものとして説明する。
【００５９】
まず、対象タイトル情報設定部１は図３に示した録画済みタイトルデータ４を記憶装置１６から読み出し（ステップＳ５１）、閲覧・選択可能な画面構成にしてから表示制御部１３を介してモニタ１９に表示する（ステップＳ５２）。
【００６０】
この状態で、操作盤１８もしくはリモコン２０の操作によって、表示した録画済みタイトル一覧からムーブ候補を選択されれば（ステップＳ５３：Ｙｅｓ）、対象タイトル情報設定部１に選択されたムーブ候補の個別タイトルデータを類似タイトル抽出部２に送る。なお、この実施の形態では個別タイトルデータ１００２が選択されたものとする。
【００６１】
類似タイトル抽出部２は送られてきたムーブ候補の個別タイトルデータを元に類似タイトルを抽出する（ステップＳ５４）。
【００６２】
ここでの類似の判断方法としては、以下のものが考えられる。
【００６３】
１）受け取ったタイトルの情報を元に、そのシリーズＩＤ１０８と同一のＩＤ値を持つタイトルが録画済みタイトルデータ４中にあるか検索する。
【００６４】
２）文字情報としてのタイトル名（図３の項番１０２）の特徴箇所と同一のものがあるか検索する。
【００６５】
ここでは、タイトル名１０２の「ドラマ○○」を検索キーとしてムーブ候補が選択されたものとして記載する。図５は上記条件で図３の録画済みタイトルデータ４からタイトル名１０２、又はシリーズＩＤ１０８を検索キーとして抽出したデータの構成を示す。
【００６６】
これにより、図３で記載されたタイトル１００２、１００４、１００５、１００７が抽出されている。この図５のデータが抽出タイトルデータとして取り扱われる（ステップＳ５５）。
【００６７】
なお、抽出しているが故に、個々の抽出タイトルのデータ項目は図５と図３は同じになるが、この段階で項番１００が付加される。個別のタイトルの特定を容易にするためである。
【００６８】
この抽出した抽出タイトルデータはムーブパターン生成部３に送られる。これを元に、ムーブパターン生成部３がムーブパターンデータ５を作成する（ステップＳ５６）。図６はこのムーブパターンデータ５のデータ構造の一例を表す構成図である。
【００６９】
生成したムーブパターンデータ５は図６のようにヘッダ部６００とデータ部６１０より構成される。このヘッダ部６００には、品質６０１、画質６０２、対象タイトル６０３、オススメ表示部６０４から構成される。一方データ部６１０は図５に示す抽出タイトルデータがそのまま用いられる。
【００７０】
品質６０１は生成したムーブパターンデータ５の有するパターン名である。このデータのデータ形式は、後述する表示用のテキスト形式であるが、必ずしも図で示したような直接的に画質を連想するようなものである必要は無い。また、表示を前提としていないものであればテキスト形式のデータにこだわるものでもない。
【００７１】
画質６０２は、リムーバブルメディアに記憶する際の画質を表すものである。一般的には不可逆変換を行うなどで圧縮率を上げれば、ブロックノイズ等が発生し再生品質は低下する。一方圧縮率を下げれば高画質になる反面、記憶容量は増加し、リムーバブルメディア１枚に記憶できるタイトルの数・記録時間は減少する。画質の種類に応じてヘッダの項目数も決定される。図上ではテキスト形式で表しているが、このデータ形式に拘るものではない。
【００７２】
なお、ここではムーブパターンデータ５の作成に際し、画質を以下のように便宜的に規定している。すなわち、ディスクメディア１枚に録画時間約１時間分のみムーブ可能な高画質タイプをＸＰ画質と定義する。また、ディスクメディア１枚に録画時間約２時間分ムーブ可能な普通画質タイプをＳＰ画質と、ディスクメディア１枚に録画時間約４時間分ムーブ可能な記憶容量優先タイプをＬＰ画質と定義する。よって、図６のヘッダの項目数（行数）は「３」となる。従って、ここでは３種類の画質を有するムーブパターンがヘッダ中に用意されているが、必ずしもこれにこだわる必要は無い。４種類の画質があればムーブパターンは４種あればよい。
【００７３】
対象タイトル６０３は各画質６０２の場合に、ムーブ対象となる抽出済みの録画済みタイトルに割り当てられた番号（図５の番号１００）を示している。なお、圧縮率が高ければ（低画質であれば）ここで指定される番号は多くなり、圧縮率が低ければ（高画質であれば）指定される番号は少なくなるであろう。
【００７４】
オススメ表示部６０４は生成したムーブパターンデータ５において、どのパターンが最適とムーブ選択装置が判断しているかを表す項目である。いずれをオススメとするかは各ムーブ選択装置での設計事項となる。ここではムーブパターン生成部３が図７のジャンルと品質の対照表を持っており、録画済みデータのジャンル１０７と対照させ、どの品質でムーブを行うことが最適か判断しているものと想定して説明する。すなわち、ジャンル１０７が「ドラマ」である場合、図７のジャンルを参照するとＳＰ画質が、「スポーツ中継」などの動きが早く、ノイズが乗りやすいものについてはＸＰ画質を「オススメ」として、ムーブパターン生成部３がオススメ表示部６０４にマーキングする。
【００７５】
ここで、たとえジャンル１０７が「スポーツ中継」、すなわちＸＰ画質でのムーブが最適と判断できるものであったとしても、ムーブ先のリムーバブルメディアの空き容量が少ない場合には、品質的に劣るＬＰ画質をオススメとしてマーキングしても良い。
【００７６】
ムーブパターンデータ５の作成後、ムーブ対象となったデータと一致するタイトル名やシリーズＩＤ持つ録画済みタイトルが過去にムーブされているか、ムーブ済みデータ６を検索する（ステップＳ５７）。
【００７７】
図８は検索対象となるムーブ済みデータ６の一例を表す構成図を表す。
【００７８】
この図のムーブ済みデータ６は、ヘッダ部７００とデータ部７１０から構成される。ヘッダ部には共有タイトル名７０１、シリーズＩＤ７０２、放送局ＩＤ７０３、ムーブメディア７０４、タイトル数７０５、画質７０６から構成される。
【００７９】
共有タイトル名７０１は検索キーの一つとなる項目であり、タイトルの名称がテキスト形式などで保持する。
【００８０】
シリーズＩＤ７０２も検索キーとなる項目の一つであり、シリーズＩＤ１０８と同じくタイトル固有のシリーズＩＤを保持する。
【００８１】
放送局ＩＤ７０３は当該タイトルのチャンネル番号に相当する。
【００８２】
ムーブメディア７０４はムーブ先のディスクメディアの種類を示すデータである。ムーブ先が一つしかないムーブ選択装置の場合、この項目の有無は問わない。
【００８３】
タイトル数７０５は検索キーの対象となった共有タイトル名７０１またはシリーズＩＤ７０２で、過去ムーブしたタイトル数を示す。
【００８４】
画質７０６は、過去のムーブに際し、使用した画質がどんなものであったかを表す。なお、図８では１種類しか表示していないが、過去のムーブで異なる複数の画質が用いられていることも想定される。このような場合、それぞれの画質でのムーブ回数を表示できるようにヘッダ部７００の行数を増やしても良い。
【００８５】
データ部７１０は過去にムーブしたタイトルのデータを示す。これらは過去にムーブされたムーブパターンデータ５のデータ部６１０該当する項目をそのつど追加している。従ってデータ項目も図３に準じている。
【００８６】
過去に同一の共有タイトル名７０１、シリーズＩＤ７０２を持つ番組がムーブされていればそれらについてのムーブ済みデータ６が記憶装置１６中に存在する（ステップＳ５７：Ｙｅｓ）。このムーブ済みデータ６を読み出し、タイトル情報としての表示データ生成の基礎とする（ステップＳ５８）。また、ステップＳ５６で抽出したムーブパターンデータ５も表示可能なデータを生成する基礎とする（ステップＳ５９）。
【００８７】
その後、ステップＳ５８で読み出したムーブ済みデータ６と、ステップＳ５６で作成したムーブパターンデータ５とを用いて表示用データを生成し、表示制御部１３を介して、モニタ１９に表示する（ステップＳ６０）。
【００８８】
図９はステップＳ６０で表示する画面の例を示す。なお、図の説明に際しては添付の図６及び図８の各データ項目を用いて説明する。
【００８９】
表示する画面構成は選択部８１０と表示部８２０に分かれている。
【００９０】
選択部８１０ではリモコン２０や操作盤１８によって入力される指示をＣＰＵ１４が処理して、図６のムーブパターンデータ５の項目６１０の画質６０２で定義されているＸＰ画質、ＳＰ画質、ＬＰ画質に相当して、品質６１０のテキストデータである「きれい」８１１、「普通」８１２、「たっぷり」８１３の各選択項目の表示を行う。なお、この「きれい」「普通」「たっぷり」の表示は図６のヘッダ部６００の品質６０１の項目記載のデータに対応したものである。
【００９１】
表示に際し、図６のムーブパターンデータ５のオススメ表示部６１３はＳＰ画質に設定されている。従って、選択部８１０の表示データ生成の際には、ＳＰ画質に対応する「普通」の表示箇所に「おすすめ」の文字を付加する。また、「選択状態」であること、すなわち破線囲み枠、を初期表示する。また、太字表示にして、操作者に対する識別性を高めている。
【００９２】
操作者は、この「選択状態」を操作盤１８やリモコン２０からの入力によって移動させることができる。たとえば、リモコン２０の「↑」ボタンを押せば「きれい」８１１に選択状態が移動し、「↓」ボタンを押せば「たっぷり」８１３に選択状態が移動するように直感的な操作形態が望ましい。
【００９３】
表示部８２０では「普通」選択で初期にムーブ対象となるタイトル８２３及びタイトル８２４を太字表示にし、さらに「←対象」のテキストを付加している。すなわち、２００６年２月６日録画分のタイトル８２１と、２００６年２月１３日録画分のタイトル８２２は、図８のムーブ済みデータ６に含まれているムーブ済みであるために選択の対象とすることはできない。また、ＳＰ画質では２時間の録画を想定しているため、２００６年３月６日録画分のタイトル８２５と、２００６年３月１３日録画分のタイトル８２６は容量上録画できない。これらのものを除く２００６年２月２０日録画分のタイトル８２３と２００６年２月２７日録画分のタイトル８２４がムーブの対象とされる。なお、ムーブ済みのものについてはその旨表示部８２０で表示する。
【００９４】
図１０は上述のリモコン等の操作により、選択部８１０の「選択状態」を「たっぷり」８１３に移動した際の表示部８２０の変化を表す表示例である。
【００９５】
選択部８１０で、「選択状態」が「たっぷり」８１３に移行すると、「たっぷり」８１３に破線囲み枠が移動するとともに、太字表示に変化する。一方「普通」８１２の破線囲み枠は消え、太字表示が通常の状態に戻る。
【００９６】
あわせて、表示部８２０では「たっぷり」選択に対応するＬＰ画質でムーブ可能な４時間分の項目が太字表示に切り替わる。すなわち、図９では太字表示ではなかった、２００６年３月６日録画分のタイトル８２５と、２００６年３月６日録画分のタイトル８２６も太字となり、「←対象」の文字が付加される。
【００９７】
これらの変化によりムーブ対象となる録画済みタイトルがタイトル８２５及びタイトル８２６にまで拡張されたことを操作者は視覚的に確認できる。
【００９８】
この画面状態で、操作者がムーブ開始の要求をした場合、タイトル８２３、タイトル８２４、タイトル８２５及びタイトル８２６のムーブが実行され、ムーブ終了時にはムーブ時の情報が図８と同様のフォーマットで、ムーブ済みデータ６として保存される（図１３参照）。
【００９９】
同様に「選択状態」が「きれい」８１１に移行すると、選択部８１０の破線囲み枠が「きれい」に移動するとともに、表示部８２０の２００６年２月２７日録画分のタイトル８２４は太字から通常の文字に変化し、「←対象」の文字も消える。このときに録画を開始すると、ＸＰ画質で２００６年２月２０日録画分のタイトル８２３のみがムーブされることとなる。
【０１００】
図１０では「選択状態」が移行してもムーブ対象が足りなくなることは無かった、しかし、現実の使用に際しては、リムーバブルディスクに空きがあってもムーブするデータ自体が無いことも考えられる。
【０１０１】
図１１は、ムーブパターンとして提示する録画済みタイトルが足りない場合の表示例である。この図１１の場合、図９及び図１０における２００６年３月１３日録画分のタイトル８２６が録画されていないものとして説明する。
【０１０２】
選択状態が「たっぷり」８１３の場合、ＬＰ画質となるため、このタイトルを４つムーブできる。しかし、ムーブ済みのタイトルである２００６年２月６日録画分のタイトル８２１と、２００６年２月１３日録画分のタイトル８２２はムーブの対象とすることはできない。従って、タイトル８２３、タイトル８２４及びタイトル８２５の計３時間分が録画可能となる（録画時間３１４参照）。
【０１０３】
ここでムーブ候補となっているタイトル８２３、タイトル８２４及びタイトル８２５はそれぞれ録画時間が１時間である。よって、次に録画される類似タイトルの録画時間も１時間と予測される。この「次に録画されると想定される類似タイトル」も、録画されればムーブ対象として採用可能と判断し、表示部８２０のタイトル８２６に、空白もしくは仮称のタイトル名を設定し表示する。この表示の結果、ユーザに次の類似タイトルの録画が行われることによって、ディスクメディアのデータ容量に則し最適なタイトル数をもちいたムーブが将来可能であることを操作者に知らせることができる。
【０１０４】
これにより、操作者は今ムーブ操作をするのか、後日ムーブ操作をするかの判断を簡単に行うことができる。
【０１０５】
最後にムーブパターン選択後の動作について説明する。
【０１０６】
図１２は、ムーブパターンの選択からムーブの完了までを表すフローチャートである。
図９から図１１の選択用の画面を経て、操作者はムーブ方式及びムーブ対象の選択を行う（ステップＳ６１）。選択がなされると、その内容に従って、対象のタイトルのムーブを実行する（ステップＳ６２）。具体的には記憶装置１６内に存在する対象タイトルの番組のコンテンツデータ（ＴＶチューナ回路１０の受信画像データ）を指定された画像品質（本実施の形態ではＸＰ画質、ＳＰ画質、ＬＰ画質のうちのいずれか）で復号化・符号化し、リムーバブルディスクドライブ１７にセットされたリムーバブルメディアに記録する。また、記憶装置１６内の当該動画データを削除する。
【０１０７】
その後読み込んだムーブ済みデータ６中にムーブの対象となったタイトルの情報を追加し、記憶装置１６内の当該情報を更新し、一連の処理を終了する（ステップＳ６３）。
【０１０８】
これまで提示してきた図を用いてこの一連の処理を説明すると以下の通りになる。
【０１０９】
たとえば、図９の画面で「選択状態」を「普通」８１２にした状態で、ムーブの実行を行うと、タイトル８２３（２００６年２月２０日録画分）、タイトル８２４（２００６年２月２７日録画分）がＳＰ画質でリムーバブルメディアに複製される。複製後、記憶装置１６内の該当タイトルの動画データを削除する。
【０１１０】
その後、ムーブ済みデータ６のデータ７１０にタイトル８２３、タイトル８２４の内容を追加する。この際、画質の項目をムーブ時に使用した「ＳＰ」にする。また、タイトル数７１４にムーブ対象数である「２」を加算し「４」にする。このデータ処理後のムーブ済みデータ６を表したのが図１３である。
【０１１１】
以上のように、ムーブに際し、録画タイトルの種別に応じて、好ましい録画画質を提示し、その変更も視覚的に理解しやすい方法を提供することで簡便にムーブの設定を行うことができるようになる。
【０１１２】
（第２の実施の形態）
第１の実施の形態では、ムーブパターンデータ５作成に際して、オススメ表示部６０４の決定を図７の対照表のみで決定した。しかし、これは個々の操作者の嗜好を考慮に入れない画一的な決定方法である。
【０１１３】
これに対し、本実施の形態では、過去に選択されたムーブ動作を「オススメ」として提案することで、操作者の手を煩わせずにムーブ動作を実行することを考えている。
【０１１４】
具体的には以下の通りである。
【０１１５】
第１の実施の形態では、図４のステップＳ５６で「オススメ」の判断をしていた。
【０１１６】
これに対し、本実施の形態ではステップＳ５６では「オススメ」の判断は行わない。
【０１１７】
本実施の形態では、ステップＳ５７でムーブ済みデータ６を検索し、ムーブ済みデータ６が存在していた際にはヘッダ部の画質７０６を参照する。画質７０６で用いられている頻度の高いものを「オススメ」として図６のムーブパターンデータ５に反映する。これに基づき、「オススメ」の設定を行い表示に反映させる。
【０１１８】
これにより、過去の操作状況に応じた「オススメ」の設定ができるようになり、更なる簡易な操作が可能になる。
【０１１９】
以上、本発明者によってなされた発明を実施の形態に基づき具体的に説明したが、本発明は前記実施の形態に限定されるものでなく、その要旨を逸脱しない範囲で種々変更可能であることは言うまでもない。
【産業上の利用可能性】
【０１２０】
本発明にかかわるムーブ選択装置は、ＨＤＤレコーダなどの使用を前提としたものであるが必ずしもこれには限らない。たとえば、デジタル放送受信機能つきのパーソナルコンピュータにも適用可能である。
【０１２１】
また、ムーブを行う対象であれば映像にも限定されない。たとえば音声のやり取りであるラジオの録音に際して、コピーワンス等の制限が課されているものであれば、本発明の適用余地はある。この際にはラジオだけでなく、携帯電話への適用も可能である。
【図面の簡単な説明】
【０１２２】
【図１】本発明に関わるムーブ選択装置のハードウェア的構成を表したブロック図である。
【図２】本発明に関わるムーブ選択装置のソフトウェア的構成を表したブロック図である。
【図３】本発明に関わる録画済みタイトルデータのデータ構造を表す構成図である。
【図４】本発明に関わるムーブ処理対象決定動作を表すフローチャートである。
【図５】本発明に関わる抽出タイトルデータのデータ構造を表す構成図である。
【図６】本発明に関わるムーブパターンデータのデータ構造を表す構成図である。
【図７】本発明に関わるムーブパターン生成部が有するジャンルと品質の対照表である。
【図８】本発明に関わるムーブ済みデータのデータ構造を表す構成図である。
【図９】本発明に関わるムーブ選択装置の一の表示例を表す図である。
【図１０】本発明に関わるムーブ選択装置の一の表示例を表す図である。
【図１１】本発明に関わるムーブ選択装置の一の表示例を表す図である。
【図１２】本発明に関わるムーブ処理動作を表すフローチャートである。
【図１３】本発明に関わるムーブ処理後のムーブ済みデータのデータ構造を表す構成図である。
【符号の説明】
【０１２３】
１…対象タイトル情報設定部、２…類似タイトル抽出部、３…ムーブパターン生成部、４…録画済みタイトルデータ、５…ムーブパターンデータ、６…ムーブ済みデータ、
１０…ＴＶチューナ回路、１１…ＭＰＥＧエンコーダ、１２…ＭＰＥＧデコーダ、１３…表示制御部、１４…ＣＰＵ、１５…入力部、１６…記憶装置、１７…リムーバブルディスクドライブ、１８…操作盤、１９…モニタ、２０…リモコン  
【図１】
2008211436.tif 000003
【図２】
2008211436.tif 000004
【図３】
2008211436.tif 000005
【図４】
2008211436.tif 000006
【図５】
2008211436.tif 000007
【図６】
2008211436.tif 000008
【図７】
2008211436.tif 000009
【図８】
2008211436.tif 000010
【図９】
2008211436.tif 000011
【図１０】
2008211436.tif 000012
【図１１】
2008211436.tif 000013
【図１２】
2008211436.tif 000014
【図１３】
2008211436.tif 000015